(57)【特許請求の範囲】
【請求項１】
ステアリングシャフトの回転角度に関連する情報を取得するアングルセンサと、前記ステアリングシャフトに取り付けられたステアリングホイールの操舵角度を前記アングルセンサで取得した情報に基づいて算出するコントロールユニットと、を備える電動パワーステアリング装置であって、
前記アングルセンサは、前記コントロールユニットから指令が送出された場合に外部から供給される電力により作動して前記ステアリングシャフトの回転角度に関する情報を取得する角度情報取得手段と、前記指令が解除された場合に前記角度情報取得手段で取得した情報を記憶する記憶手段と、を有し、前記指令が送出された場合に前記角度情報取得手段で取得した情報を前記コントロールユニットに出力する一方、前記指令が解除された場合に前記角度情報取得手段で取得した情報を前記コントロールユニットに出力しないものであり、
前記コントロールユニットは、前記アングルセンサに対してイグニション・オン時に前記指令を送出する一方、イグニション・オフ時に前記指令を解除するものであり、
イグニション・オフ時に蓄電池から前記アングルセンサのみに間欠的に電力を供給して、前記アングルセンサの角度情報取得手段で取得した情報を前記アングルセンサの記憶手段に記憶するように構成される、電動パワーステアリング装置。
【請求項２】
前記アングルセンサは、前記角度情報取得手段で取得した情報を前記記憶手段に記憶した後に前記指令が送出された場合に、前記記憶手段に記憶した情報を外部に出力するように構成される、請求項１に記載の電動パワーステアリング装置。
【請求項３】
前記角度情報取得手段は、前記シャフトの回転角度に対応するモータの回転角度を検出するモータ回転角度センサである、請求項１又は２に記載の電動パワーステアリング装置。
【請求項４】
前記モータ回転角度センサは、前記モータの駆動軸に取り付けられた回転部材と、前記回転部材に固定された着磁部の磁界変化を検出する素子部と、を有し、前記素子部は、前記回転部材の回転角度に応じて９０°位相がずれるように配置された少なくとも一組の磁気検出素子からなるブリッジ回路で構成される、請求項３に記載の電動パワーステアリング装置。
【請求項５】
前記コントロールユニットは、指令解除後のイグニション・オン時に前記指令を再送出し前記アングルセンサの記憶手段に記憶した情報を受信して指令解除時における前記ステアリングシャフトの回転角度を算出する、請求項１から４の何れか一項に記載の電動パワーステアリング装置。
【発明の詳細な説明】
【技術分野】
【０００１】
本発明は、アングルセンサ及び電動パワーステアリング装置に関する。
【背景技術】
【０００２】
現在、車両のステアリングホイールに印加された操舵トルクをトルクセンサで検出し、この操舵力に対応する補助操舵トルクを電動モータで発生させて車輪の操舵を行う電動パワーステアリング装置が実用化されている。
【０００３】
このような電動パワーステアリング装置には、ステアリングホイールの操舵角度（ステアリングシャフトの回転角度）を検出するための舵角センサや電動モータの駆動軸の回転角度を検出するためのモータ回転角度センサが設けられている。近年においては、レゾルバからの出力信号に基づいてモータの回転角度を検出する技術が提案されている（例えば、特許文献１参照）。
【先行技術文献】
【特許文献】
【０００４】
【特許文献１】特開２０００−５５６９５号公報
【発明の概要】
【発明が解決しようとする課題】
【０００５】
しかし、特許文献１に記載されたようなレゾルバを用いた従来の回転角度検出技術においては、レゾルバの励磁を開始してから励磁信号の発振状態を安定させる必要があり、さらに、励磁信号の振幅成分を正しくサンプリングできるようになるまでサンプリングタイミングを調整する必要がある。このため、回転角度に関する情報を取得するまでには、一定の待機時間や調整作業を要することとなっていた。
【０００６】
本発明は、かかる事情に鑑みてなされたものであり、長い待機時間や複雑な調整作業を要することなくステアリングシャフトやモータの回転角度を検出することができるアングルセンサ及びこれを備えた電動パワーステアリング装置を提供することを目的とする。
【課題を解決するための手段】
【０００７】
前記目的を達成するため、本発明に係るアングルセンサは、所定軸周りに回転するシャフトの回転角度に関連する情報を取得する角度情報取得手段を備え、外部から指令が送出された場合に角度情報取得手段で情報を取得するものであって、角度情報取得手段は、ＭＲ素子又はＨａｌｌ素子を有するものである。
【０００８】
かかる構成を採用すると、ＭＲ素子又はＨａｌｌ素子を有する角度情報取得手段を採用しているため、従来のレゾルバ式センサでの回転角度検出の際に必要であった励磁信号の発振状態安定化やサンプリングタイミング調整が不要となる。従って、長い待機時間や複雑な調整作業を要することなく、シャフト（ステアリングシャフトやモータの駆動軸）の回転角度を検出することができる。
【０００９】
本発明に係るアングルセンサにおいて、外部から間欠的に供給される電力による作動する角度情報取得手段を採用することが好ましい。
【００１０】
かかる構成を採用すると、外部から間欠的に供給される電力により角度情報取得手段が作動するため、シャフトの回転角度に関連する情報を取得するために常時電力を供給する必要がない。従って、情報取得に要する電力を節減することが可能となる。
【００１１】
本発明に係るアングルセンサにおいて、外部から送出される指令が解除された場合に角度情報取得手段で取得した情報を記憶する記憶手段をさらに備えることができる。
【００１２】
かかる構成を採用すると、外部から送出される指令が解除された場合に、シャフトの回転角度に関連する情報を記憶手段に記憶することができる。従って、指令解除時（例えばイグニション・オフ時）にシャフトの回転角度に関連する情報が検出された場合においても、その情報を保存することができ、その保存した情報を後に利用することが可能となる。
【００１３】
本発明に係るアングルセンサは、角度情報取得手段で取得した情報を記憶手段に記憶した後に指令が送出された場合に、記憶手段に記憶した情報を外部に出力するように構成されることが好ましい。
【００１４】
かかる構成を採用すると、指令解除時に記憶手段に記憶したシャフトの回転角度に関連する情報を、指令再送出時に外部に出力することができるので、この情報を利用して指令解除時におけるシャフトの回転角度を算出することが可能となる。
【００１５】
本発明に係るアングルセンサにおいて、シャフトの回転角度に対応するモータの回転角度を検出するモータ回転角度センサを角度情報取得手段として採用することができる。かかる場合には、モータの駆動軸に取り付けられた回転部材と、この回転部材に固定された着磁部の磁界変化を検出する磁気抵抗素子部と、を有するモータ回転角度センサを採用することができる。また、回転部材の回転角度に応じて９０°位相がずれるように配置された少なくとも一組の磁気検出素子からなるブリッジ回路で磁気抵抗素子部を構成することができる。
【００１６】
また、本発明に係る電動パワーステアリング装置は、ステアリングシャフトの回転角度に関連する情報を取得するアングルセンサと、ステアリングシャフトに取り付けられたステアリングホイールの操舵角度をアングルセンサで取得した情報に基づいて算出するコントロールユニットと、を備え、アングルセンサとして、本発明に係るアングルセンサを採用したものである。コントロールユニットは、アングルセンサに対してイグニション・オン時に指令を送出する一方イグニション・オフ時に指令を解除するとともに、指令解除後のイグニション・オン時に指令を再送出しアングルセンサの記憶手段に記憶した情報を受信して指令解除時におけるステアリングシャフトの回転角度を算出するものを採用することができる。
【００１７】
本発明に係る電動パワーステアリング装置は、イグニション・オフ時に蓄電池からアングルセンサのみに間欠的に電力を供給して、アングルセンサの角度情報取得手段で取得した情報をアングルセンサの記憶手段に記憶するように構成されることが好ましい。
【００１８】
かかる構成を採用すると、イグニション・オフ時に蓄電池からアングルセンサに間欠的に電力を供給するだけで、ステアリングシャフトの回転角度に関連する情報をアングルセンサの角度情報取得手段で取得して記憶手段に記憶することができる。従って、ステアリングシャフトの回転角度に関連する情報を取得するために常時電力を供給する必要がないので、情報取得に要する電力を節減することが可能となる。
【発明の効果】
【００１９】
本発明によれば、複雑な調整や待ち時間を要することなくステアリングシャフトやモータの回転角度を検出することができるアングルセンサ及びこれを備えた電動パワーステアリング装置を提供することが可能となる。
【図面の簡単な説明】
【００２０】
【図１】本発明の実施形態に係る電動パワーステアリング装置の全体構成を示す構成図である。
【図２】図１に示す電動パワーステアリング装置に搭載されるアングルセンサ及びコントロールユニットの機能的構成を示すブロック図である。
【発明を実施するための形態】
【００２１】
以下、図面を参照して、本発明の実施形態について説明する。
【００２２】
まず、図１を用いて、本実施形態に係る電動パワーステアリング装置１の構成の概要について説明する。電動パワーステアリング装置１は、所定軸周りに回転するステアリングシャフト２の回転角度に関連する情報を取得するアングルセンサ１０と、ステアリングシャフト２に取り付けられたステアリングホイール３の操舵角度をアングルセンサ１０で取得した情報に基づいて算出するコントロールユニット２０と、を備えている。
【００２３】
ステアリングシャフト２は、減速ギア４、ユニバーサルジョイント５Ａ・５Ｂ、ピニオンラック機構６を介して車輪のタイロッド７に連結されている。ステアリングシャフト２には、ステアリングホイール３の操舵トルクＴを検出するトルクセンサ８が設けられており、ステアリングホイール３の操舵力Ｔによってトーションバー８ａが捩れると、トルクセンサ８は操舵トルクＴに応じた電気信号をコントロールユニット２０に出力するようになっている。ステアリングシャフト２には、ステアリングホイール３の操舵トルクを補助する電動モータ９が減速ギア４を介して連結されており、電動モータ９にはアングルセンサ１０が設けられている。アングルセンサ１０の構成については後に詳述する。
【００２４】
コントロールユニット２０には、バッテリ（蓄電池）３１から電力が供給されるとともに、イグニションキー３２を介してイグニション信号が入力される。コントロールユニット２０は、トルクセンサ８で検出された操舵トルクＴ及び車速センサ３３で検出された車速Ｖに基づいて操舵補助指令の電流指令値Ｉを算出し、算出した電流指令値Ｉに基づいて電動モータ９に供給する電流を制御する。コントロールユニット２０の構成については後に詳述する。
【００２５】
次に、図２を用いて、本実施形態に係るアングルセンサ１０及びコントロールユニット２０の機能的構成について説明する。
【００２６】
アングルセンサ１０は、図２に示すように、バッテリ３１から供給される電力により作動するものであり、電動モータ９の駆動軸の回転角度を検出するモータ回転角度センサ１１を有している。モータ回転角度センサ１１は、ステアリングシャフト２の回転角度に関連する情報（ステアリングシャフト２の回転角度に一対一対応する電動モータ９の回転角度）を取得するものであり、本発明における角度情報取得手段として機能する。アングルセンサ１０は、コントロールユニット２０から制御指令が送出された場合に、モータ回転角度センサ１１で検出した回転角度の情報（角度信号）をコントロールユニット２０に出力する。
【００２７】
本実施形態におけるモータ回転角度センサ１１は、電動モータ９の駆動軸に取り付けられた回転部材と、この回転部材に固定された着磁部（Ｓ極磁石及びＮ極磁石）の磁界変化を検出する磁気抵抗素子部と、を有する非接触式センサである。回転部材は、電動モータ９の駆動軸の回転と同期しつつ一定の周期で回転するようになっている。磁気抵抗素子部は、回転部材の回転角度に応じて９０°位相がずれるように配置した少なくとも一組の磁気検出素子からなるブリッジ回路で構成されている。本実施形態においては、磁気検出素子として、ＭＲ素子又はＨａｌｌ素子を採用している。このように構成したモータ回転角度センサ１１により、電動モータ９の回転角度θに対応する正弦波（sinθ）及び余弦波（cosθ）の信号がコントロールユニット２０に出力される。
【００２８】
また、アングルセンサ１０は、コントロールユニット２０から送出される制御指令が解除された場合に、モータ回転角度センサ１１で検出した情報を記憶する集積回路（ＡＳＩＣ）１２を有している。集積回路１２は、本発明における記憶手段として機能するものである。集積回路１２は、モータ回転角度センサ１１で検出した電動モータ９の回転角度θの情報（正弦波及び余弦波の信号）に基づいてステアリングシャフト２の回転角度を算出する機能をも有しており、このように算出したステアリングシャフト２の回転角度を記憶することもできる。また、集積回路１２は、モータ回転角度センサ１１で検出した情報を記憶した後にコントロールユニット２０から制御指令が送出された場合に、記憶した情報をコントロールユニット２０に出力する通信機能を有している。
【００２９】
なお、アングルセンサ１０の集積回路１２は、モータ回転角度センサ１１を構成するＭＲ素子又はＨａｌｌ素子への通電を制御する機能を有しており、コントロールユニット２０から送出される制御指令が解除された場合に、回転角度の検出精度を維持しつつＭＲ素子やＨａｌｌ素子への通電を周期的に遮断する。この結果、モータ回転角度センサ１１は、制御指令解除時において、間欠的に供給される電力により作動して回転角度を検出することになる。これにより、回転角度検出に要する消費出力を節減することができる。
【００３０】
コントロールユニット２０は、図２に示すように、バッテリ３１から供給される電力により作動するものであり、各種演算処理を行うＭＣＵ２１等を有している。ＭＣＵ２１は、イグニションキー３２を介してイグニション・オン信号が送出された場合に、アングルセンサ１０に対して制御指令を送出するとともにアングルセンサ１０から出力された回転角度の情報（角度信号）を受信し、受信した情報に基づいて逆正接関数（arctanθ）の演算処理を実行することによりステアリングシャフト２の回転角度を算出する。
【００３１】
また、ＭＣＵ２１は、イグニション・オン信号が解除された場合に、スイッチ２２の接続を遮断してバッテリ３１からＭＣＵ２１への通電を停止させるとともに、イグニション・オン時にアングルセンサ１０へと送出していた制御指令を解除する。これにより、イグニション・オフ時には、ＭＣＵ２１による各種演算処理が停止させられる。一方、イグニション・オフ時（制御指令解除時）においても、アングルセンサ１０にはバッテリ３１から電力が供給される。このため、アングルセンサ１０は、前述のようにイグニション・オフ時にモータ回転角度センサ１１で検出した情報を集積回路１２に記憶する。なお、イグニション・オフ時（制御指令解除時）においては、アングルセンサ１０の集積回路１２がＭＲ素子又はＨａｌｌ素子への通電を周期的に遮断しながら回転角度の検出を行うため、消費出力を節減することができる。
【００３２】
このようなイグニション・オフ期間を経た後、イグニション・オン信号が再送出された場合に、ＭＣＵ２１は、アングルセンサ１０に対して制御指令を再送出し、アングルセンサ１０の集積回路１２に記憶されていた情報を受信し、受信した情報に基づいて演算処理を実行する。これにより、ＭＣＵ２１は、イグニション・オフ期間におけるステアリングシャフト２の回転角度（ステアリングホイール３の操舵角度）を算出することができる。
【００３３】
以上の実施形態に係るアングルセンサ１０においては、ＭＲ素子又はＨａｌｌ素子を有するモータ回転角度センサ１１を採用しているため、従来のレゾルバ式センサでの回転角度検出の際に必要であった励磁信号の発振状態安定化やサンプリングタイミング調整が不要となる。従って、長い待機時間や複雑な調整作業を要することなく、電動モータ９の駆動軸の回転角度を検出することができる。
【００３４】
また、以上の実施形態に係るアングルセンサ１０においては、外部（バッテリ３１）から間欠的に供給される電力によりモータ回転角度センサ１１を作動させることができるため、電動モータ９の駆動軸の回転角度を検出するために常時電力を供給する必要がない。従って、回転角度検出に要する電力を節減することが可能となる。
【００３５】
また、以上の実施形態に係るアングルセンサ１０においては、外部（コントロールユニット２０）から制御指令が送出された場合に、ステアリングシャフト２の回転角度に関連する情報を外部に出力することができる一方、制御指令が解除された場合に、ステアリングシャフト２の回転角度に関連する情報を集積回路１２に記憶することができる。従って、制御指令解除時（イグニション・オフ時）にステアリングシャフト２の回転角度に関連する情報が検出された場合においても、その情報を保存することができ、その保存した情報を後に利用することが可能となる。
【００３６】
また、以上の実施形態に係るアングルセンサ１０においては、制御指令解除時に集積回路１２に記憶したステアリングシャフト２の回転角度に関連する情報を、制御指令再送出時に外部（コントロールユニット２０）に出力することができるので、この情報を利用して制御指令解除時におけるステアリングシャフト２の回転角度を算出することが可能となる。
【００３７】
また、以上の実施形態に係る電動パワーステアリング装置１においては、イグニション・オフ時にバッテリ３１からアングルセンサ１０に間欠的に電力を供給するだけで、ステアリングシャフト２の回転角度に関連する情報（電動モータ９の駆動軸の回転角度）をアングルセンサ１０のモータ回転角度センサ１１で取得して集積回路１２に記憶することができる。従って、ステアリングシャフト２の回転角度に関連する情報を取得するために常時電力を供給する必要がないので、情報取得に要する電力を節減することが可能となる。
【００３８】
なお、以上の実施形態においては、アングルセンサの角度情報取得手段として、電動モータ９の回転角度の情報を検出するモータ回転角度センサ１１を採用した例を示したが、角度情報取得手段の構成はこれに限られるものではない。例えば、ステアリングシャフト２自体に取り付けられてステアリングシャフト２と同期回転する回転部材と、この回転部材に固定された着磁部の磁界変化を検出する磁気抵抗素子部と、を有し、ステアリングシャフト２の回転角度に対応する正弦波及び余弦波の信号を出力する回転角度センサを角度情報取得手段として採用することもできる。
【００３９】
また、以上の実施形態においては、車両のステアリングシャフトの回転角度に関連する情報を取得する電動パワーステアリング装置用のアングルセンサに本発明を適用した例を示したが、本発明の適用範囲はこれに限られるものではなく、シャフトの回転角度に関連する情報を取得する種々のアングルセンサに本発明を適用することができる。
【符号の説明】
【００４０】
１…電動パワーステアリング装置
２…ステアリングシャフト
３…ステアリングホイール
１０…アングルセンサ
１１…モータ回転角度センサ（角度情報取得手段）
１２…集積回路（記憶手段）
２０…コントロールユニット
３１…バッテリ（蓄電池）
【図１】
0005626702.tif 000002
【図２】
0005626702.tif 000003